(57)【要約】【課題】  作業者の負担を軽減する移植器の提供。【解決手段】  本発明の移植器は、先端に設けた一対のくちばし２ａ，２ｂと、該一対のくちばし２ａ，２ｂを開閉する操作パイプ３と、該操作パイプ３を挿通可能に保持したスライドブッシュ４とを備え、上記操作パイプ３と一方のくちばし２ｂとをリンク機構１０を介して繋ぐと共に、上記スライドブッシュ４と他方のくちばし２ａを支持板２ｃを介して繋ぐ構成を有し、上記操作パイプ３を下降させると上記リンク機構１０を介して上記一方のくちばし２ｂを開方向に回動させるようにしたものである。【選択図】図２
2017029123.tif 000002
【特許請求の範囲】
【請求項１】
苗投入筒１と、該苗投入筒１の先端に設けた一対のくちばし２ａ，２ｂと、該一対のくちばし２ａ，２ｂを開閉する操作パイプ３と、該操作パイプ３を挿通可能に保持したスライドブッシュ４とを備え、上記操作パイプ３と一方のくちばし２ｂとをリンク機構１０を介して繋ぐと共に、上記スライドブッシュ４と他方のくちばし２ａとを支持板２ｃを介して繋ぐ構成を有し、上記操作パイプ３を下降させると上記リンク機構１０を介して上記一方のくちばし２ｂを開方向に回動させることを特徴とする移植器。
【請求項２】
上記操作パイプ３を上昇させるスプリング５を備え、該スプリング５の弾性反発力で上記操作パイプ３を上昇させると共に上記リンク機構１０を介して上記一方のくちばし２ｂを閉方向に回動させることを特徴とする請求項１記載の移植器。
【請求項３】
上記スプリング５の弾性反発力による上記操作パイプ３の上昇を防止するワイヤ１２とフック１１の係合手段を設けたことを特徴とする請求項２記載の移植器。
【発明の詳細な説明】
【技術分野】
【０００１】  苗、球根類等を移植する際に使用する移植器に関する。
【背景技術】
【０００２】  この種移植器は、苗を投入する苗投入筒の先端に開閉可能な一対のくちばしを備え、該一対のくちばしを閉じた状態で地面を穿孔し、穿孔後に上記苗投入筒内に苗を投入し、次いで上記一対のくちばしを開いて苗を孔内に植える。【０００３】  下記特許文献１の移植器は、一方のくちばしと連結するペダルを設け、該ペダルを踏むことにより、一対のくちばしを開くことができる。【０００４】  下記特許文献２の移植器は、各くちばしの後端にハンドルを連結し、該ハンドルを操作することにより、一対のくちばしを開くことができる。
【先行技術文献】
【特許文献】
【０００５】
【特許文献１】  特開平８−１３０９２９号公報
【特許文献２】  実開平６−５５３０９号公報
【発明の概要】
【発明が解決しようとする課題】
【０００６】  上記従来の移植器は、一つの苗を植えるたびに、ハンドル操作やペダルの足踏み等のくちばしの開くための動作が必須となるが、これらの動作は多数の苗を植える際には作業者への多大な負担となる。
【課題を解決するための手段】
【０００７】  本発明の移植器は、先端に設けた一対のくちばし２ａ，２ｂと、該一対のくちばし２ａ，２ｂを開閉する操作パイプ３と、該操作パイプ３を挿通可能に保持したスライドブッシュ４とを備え、上記操作パイプ３と一方のくちばし２ｂとをリンク機構１０を介して繋ぐと共に、上記スライドブッシュ４と他方のくちばし２ａとを支持板２ｃを介して繋ぐ構成を有し、上記操作パイプ３を下降させると上記リンク機構１０を介して上記一方のくちばし２ｂを開方向に回動させるようにしたものである。【０００８】  また上記操作パイプ３を上昇させるスプリング５を備え、該スプリング５の弾性反発力で上記操作パイプ３を上昇させると共に上記リンク機構１０を介して上記一方のくちばし２ｂを閉方向に回動させるようにしたものである。【０００９】  加えて上記スプリング５の弾性反発力による上記操作パイプ３の上昇を防止するワイヤ１２とフック１１の係合手段を設けるものである。
【発明の効果】
【００１０】  以上説明したように本発明の移植器は、操作パイプと一方のくちばしをリンク機構を介して繋ぐと共に、スライドブッシュと他方のくちばしと支持板を介して繋ぐ構成を有し、上記操作パイプを下降させると上記リンク機構を介して上記一方のくちばしを開方向に回動させるようにしたものであり、作業者の負担を軽減できる。
【図面の簡単な説明】
【００１１】
【図１】本発明に係る移植器のくちばしが閉じた状態の側面図。
【図２】本発明に係る移植器のくちばしが開いた状態の側面図。
【図３】本発明に係る移植器の支持板と投入筒が一体になった例を示す側面図。
【図４】（Ａ）本発明に係る移植器の係合手段の正面図。（Ｂ）本発明に係る移植器の係合手段の側面図。
【図５】本発明に係る移植器のリンク部分の詳細図。
【発明を実施するための形態】
【００１２】  以下添付図面を参照し、本発明を具体的に説明する。
図１に示す通り、本発明の移植器は、先端に設けた一対のくちばし２ａ，２ｂと、一対のくちばし２ａ，２ｂを開閉する操作パイプ３と、操作パイプ３を挿通可能に保持したスライドブッシュ４とを備え、上記操作パイプ３と一方のくちばし２ｂとをリンク機構１０を介して繋ぐと共に、上記スライドブッシュ４と他方のくちばし２ａとを支持板２ｃを介して繋ぐ構成を有し、図２に示す通り上記操作パイプ３を下降させると上記リンク機構１０を介して上記一方のくちばし２ｂを開方向に回動させるようにしたものである。
【００１３】  また、図３に示す通り、支持板２ｃを他方のくちばし２ａと苗投入筒１の双方に繋ぐ構成としても良い。
【００１４】  スライドブッシュ４は挿通可能操作パイプ３の下部に装着した止め板８で止まる。また苗投入筒１の苗投入時の安定性を保つ為に苗投入筒１を苗投入支え板１３で固定する。くちばし２ｂと挿通可能操作パイプ３の間にリンク機構１０を介してくちばし２ｂが開く。
【００１５】  苗投入筒１に苗を投入するとくちばし２ａ，２ｂは閉じているため苗が止まる。
操作パイプ３に押下をしやすくする為ハンドル６を取り付ける。ハンドル６を押下することにより、スライドブッシュ４が操作パイプ３を挿通しスプリング５を圧縮する。圧縮されたスプリング５はスプリング固定７で止まる。操作パイプ３を下降させると、操作パイプ３に固定されたリンク支持板９にリンク機構の支点シャフト１０ａが回転することにより、図２に示す通り、リンク機構１０を介してくちばし２ｂが開方向に回動する。これにより、止まった苗を一対のくちばし２ａ，２ｂで穿孔した孔内に落下させて植えることができる。
【００１６】  くちばしの開口はリンク機構１０により行われる。図５を参照。
くちばし２ａ，２ｂは支点シャフト１０ｄにより結合している。
操作パイプ３を押下することによりスライドブッシュ４が上昇する。操作パイプ３と繋がっている支点シャフト１０ａが支点となりリンク板１０ｅが回転する。
リンク板１０ｅが回転すると支点シャフト１０ｈを支点としてリンク板１０ｂが回転して動点シャフト１０ｇが回転しその動点シャフト１０ｇと繋がっているリンク板１０ｅが回転する。
リンク板１０ｅとリンク板１０ｆが動点シャフト１０ｃで繋がって支点シャフト１０ｉが支点になりくちばし２ｂを開口させる。
支点シャフト１０ｉと支点シャフト１０ｈは、くちばし２ａとスライドブッシュ４とを繋ぐ支持板２ｃに固定されている。
【００１７】  また苗を植えた後は、操作パイプ３を上昇させる既述のスプリング５の弾性反発力で操作パイプ３を上昇させると共にリンク機構１０を介して一方のくちばし２ｂを閉方向に回動させる。
【００１８】  またスプリング５の弾性反発力による操作パイプ３の上昇を防止し、くちばし２ｂが開口を維持するために、図４に示す通り、フック１１とワイヤ１２から構成される係合手段を設ける。
【符号の説明】
【００１９】  １…苗投入筒、２ａ…くちばし、２ｂ…くちばし、２ｃ…支持板、３…操作パイプ、４…スライドブッシュ、５…スプリング、６…ハンドル、７…スプリング固定、８…止め板、９…リンク支持板、１０…リンク、１０ａ…支点シャフト、１０ｂ…リンク板、１０ｃ…動点シャフト、１０ｄ…支点シャフト、１０ｅ…リンク板、１０ｆ…リンク板、１０ｇ…動点シャフト、１０ｈ…支点シャフト、１０ｉ…支点シャフト、１１…フック、１２…ワイヤ、１３…苗投入支え板
【図１】
2017029123.tif 000003
【図２】
2017029123.tif 000004
【図３】
2017029123.tif 000005
【図４】
2017029123.tif 000006
【図５】
2017029123.tif 000007